(57)【特許請求の範囲】
【請求項１】
ドア開口部の両側にそれぞれ配置される２つのガイドトラック（３１）と、閉鎖状態で前記ドア開口部を覆うためのセグメントアーマー（２）とを備える高速作動産業用昇降ドア（１）であって、
前記セグメントアーマー（２）は、関節方式で相互接続され、ヒンジピン（２３）を介して互いに一定の角度で配置されるヒンジリンク（２２）を有するヒンジストラップ（２１）を備え、
前記ヒンジストラップ（２１）は、前記ドア開口部の垂直間隔に相応する長さを有し、前記ガイドトラック（３１）内で支持及び案内され、
前記セグメントアーマー（２）が前記ヒンジリンク（２２）に設けられるスラット（２４、２４ａ）を備え、
前記関連する隣接するスラット（２４、２４ａ）の互いに対向する側方向境界部分（２４１）は、側断面が凸字状の凸部（２４３）を持ち、
前記関連する隣接するスラット（２４、２４ａ）の互いに対向する側方向境界部分（２４２）は、中心部分で側断面が凹字状の凹部（２４４）を持ち、
前記昇降ドアが閉鎖状態のとき前記凸部（２４３）が前記凹部（２４４）に挿入され、
前記凸部（２４３）の頭頂部と前記凹部（２４４）の底部との間に前記ドア開口部の幅を実質的に超えて延びるシール部材（２７）が介挿され、
前記凸部（２４３）の側壁と前記凹部（２４４）の側壁（２４５）との間の２つのギャップ（２４６）は、７ミリメートルの幅を持ち、
前記凸部（２４３）の側壁と前記凹部（２４４）の側壁（２４５）との間に前記２つのギャップ（２４６）を閉鎖させるために熱の影響下で膨張する２つの防火要素（２８ａ）を備え、ていることを特徴とする高速作動産業用昇降ドア。
【請求項２】
下端のスラット（２４ａ）に外側シールリップを有する中空プロファイル形態の床側終結部材（２９）を備え、
前記床側終結部材（２９）のキャビティに防火要素（２８ｄ）を備えていることを特徴とする請求項１に記載の高速作動産業用昇降ドア。
【請求項３】
前記シール部材（２７）は、クロロプレンまたはシリコンのような難燃性のエラストマーで作られる請求項１又は２に記載の高速作動産業用昇降ドア。
【請求項４】
前記セグメントアーマ（２）が前記ガイドトラック（３１）を備える側枠（３）に進入する領域で前記セグメントアーマ（２）の両側に防火要素（２８ｂ）が配置されている請求項１〜３のいずれか１項に記載の高速作動産業用昇降ドア。
【請求項５】
前記セグメントアーマ（２）が巻き取りケース（４）に進入する領域で、前記スラット（２４）の両側に防火要素（２８ｃ）が配置されている請求項１〜４のいずれか１項に記載の高速作動産業用昇降ドア。
【発明の詳細な説明】
【技術分野】
【０００１】
本発明は、昇降ドアまたはゲートに関し、特に、高速作動産業用ドアに関し、ドア開口部の両側にそれぞれ配置される２つのガイドトラックと、閉鎖位置でドア開口部を覆うためのセグメントアーマー（ｓｅｇｍｅｎｔｅｄ ａｒｍｏｒ）とを備え、前記セグメントアーマーは、関節方式で相互接続され、ヒンジピンを介して互いに対して一定の角度で配置可能なヒンジリンクを有するヒンジストラップを備え、前記ヒンジストラップは、ドア開口部の垂直間隔に相応する長さを有し、前記ヒンジストラップは、前記ガイドトラック内で支持及び案内され、前記セグメントアーマーは、ヒンジリンクに結合するスラットをさらに備える。
【背景技術】
【０００２】
このようなドアは、例えば、ＷＯ９１／１８１７８号に開示されている。この文献に記載されたドアは、秒速３メートルまでの高速作動に適合し、閉鎖状態で風や天候に対する優れた密閉機能を提供するだけでなく、不正開放を防止するセキュリティ機能を提供する。さらに、前記公知の昇降ドアは、開閉過程での騷音少なく動くことができる。前記ドアは、実際条件で幅広く採用されている。
【０００３】
この場合、ヒンジストラップがセグメントアーマーに対する支持構造を形成し、昇降ドアの開閉中に発生するすべての力を吸収するということが、特に有利であると確認された。これらのヒンジストラップがガイドトラック内で同時に支持及び案内されるため、動作の進路が不規則または不均一になることなく、昇降ドアの超高速作動が可能になる。この既知の昇降ドアの高速動作特性は、セグメントアーマーが、適切に経路が設定されたガイドトラックの部分によって決定される螺旋形態でドアのまぐさ領域において接触なく案内されるという事実により、さらに裏付けられている。
【０００４】
各スラットは、各々の隣接するスラットがヒンジストラップにより互いに一定の角度で配置されるように、ヒンジストラップのヒンジリンクに互いに間隔をおいて設けられる。この公知の例において、ヒンジストラップのヒンジピンが係合する隙間が隣接するスラットの空間内に形成される。スラット間の空間内に各ヒンジの回動軸を設けることは、一方では、隣接するスラット間の角度間隔を最小化し、他方では、上部ガイドトラックに進入する際の傾斜加速度を最小化する。このことは、傾斜移動中に低い加速力をもたらし、それによって可能になった昇降ドアの高い移動速度をもたらす。
【０００５】
この従来の昇降ドアの隣接するスラットには、ドアの略全幅にわたって、風に対する密閉機能を提供し、雨水及びホコリの浸透を防止する各々のシールストリップが供給される。このほかにも、前記シールストリップは、スラット同士の機械的安定性も提供する。結果的に、セグメントアーマーは、膨張または変形することなく、閉鎖位置でより高い風荷重に耐えられるようになる。これらのシールストリップは、２つの隣接するスラットの互いに対向する側方向境界部分でそれに相応して構成された凹部に係合する凸部を含む。
【０００６】
ＷＯ９１／１８１７８号に記載の昇降ドアは、高速産業用ドアとして幅広く採用されてきたが、防火機能においては非常に不十分であった。他方では、高い耐火効果を有する閉鎖空間を作ることを目指した防火ドアアセンブリが知られている。耐火特性を評価するために、３つの基準が定義される。一方で、防火ドアアセンブリは、火災発生時にも空間閉鎖状態を維持できるように十分な固有安定性を有しなければならない。別の基準は、火炎伝播またはフラッシュバックに対する抵抗、すなわち、火炎がドアの向かい側に伝播するまでの時間である。３つ目の基準として、防火吊り下げの断熱効果が考慮されるが、これによれば、火から離れて面している側の温度が一定の時間範囲内で所定の値を超えることは許容されない。この要求を満たせるようにするために、従来の防火ドアアセンブリは比較的高い重量を有し、従って非常にゆっくりとしか動作できなかった。
【発明の概要】
【発明が解決しようとする課題】
【０００７】
そこで、高速作動に適合するとともに、防火特性を備える、改善された昇降ドアを提供することが本発明の目的である。
【課題を解決するための手段】
【０００８】
この目的は、隣接する２つのスラットの互いに対向する側方向境界部分が、前記昇降ドアが閉鎖された状態で互いに係合して曲折シール（ｌａｂｙｒｉｎｔｈ ｓｅａｌ）を形成するように、相補的な方式で構成されるということで格別に特徴づけられ、請求項１の特性を有する昇降ドアにより達成される。
【０００９】
隣接するスラットの互いに対向する側方向境界部分に、本発明によりこのように提供される曲折シール方式の密封により、セグメントアーマーの一方側から他方側へのガスの流れに耐え、このようなガスの移動を抑制する力が生成される。これにより、ガスは、セグメントアーマーを線形的に貫通するのではなく、曲折におけるのと同様に、屈折して減速するか、または停止される。
【００１０】
これと同時に、セグメントアーマーを介した直線経路が遮断されるため、火災発生時に火炎伝播が抑制される。
【００１１】
昇降ドアのスラットは、通常、金属、好ましくはアルミニウムで作られるため、温度に対する耐性が高く、これにより、火災発生時に効果的なドア閉鎖状態が得られる。
さらに、２つの側方向境界部分の相互係合は、２つの互いに隣接するスラットの任意のずれを効果的に抑制する。これは、各々のスラットが互いに異なる熱の影響にさらされ、これにより、互いに異なる程度の曲げ変形を受けた際に特に重要である。本発明によれば、この場合にもセグメントアーマーは、一貫して結合したユニットとして維持され、火炎の伝達を防止するために効果的なドア閉鎖状態を形成する。
【００１２】
本発明の昇降ドアの有利な発展が従属クレーム２〜５の内容である。
【００１３】
したがって、スラットの前記側方向境界部分が側断面の凸部を提供され、関連する隣接したスラットの前記側方向境界部分がその中心部分で凹部のある側断面を有し、前記昇降ドアが閉鎖状態のとき前記凸部が前記凹部にぴったりと係合するようになる。この意味では、簡単な構造的手段で２つの隣接するスラットの側方向境界部分の有利な相補的形状を得ることができる。
【００１４】
前記ドア開口部の幅を実質的に超えて延びるシール部材が、隣接するスラットに対向するスラットの少なくとも１つの側方向境界部分に配置されると、火災発生時にガスの移動の可能性は遥かに信頼性高く抑制される。このようなシール部材は、風に対するセグメントアーマーの密封をさらに支援する。したがって、簡単な構造的手段により、閉鎖及び防火特性がすべて向上する昇降ドアを提供することが可能である。
【００１５】
前記シール部材は、難燃性のエラストマーで作られるという事実のため、火災負荷に特によく耐えることができ、これにより、本発明の昇降ドアの防火性能が向上する。この目的のための好適な材料は、例えば、クロロプレンまたはシリコンである。
【００１６】
熱の影響下で膨張し、隣接するスラットの前記側方向境界部分間のギャップを閉鎖させる材料の少なくとも１つの防火要素が、隣接するスラットに対向するスラットの少なくとも１つの側方向境界部分に設けられると、さらに有利である。こうすることで、セグメントアーマーの一方側の他方側に対する信頼性高い遮蔽が達成される。したがって、例えば、昇降ドアの一方側に貯蔵された可燃性物体は、ドアの他方側にある火災源の放射エネルギーからより信頼性高く遮蔽される。こうすることで、本発明の昇降ドアの防火機能はさらに改善される。前記昇降ドアは、同時に構成上の複雑度が低く、かつ公知の材料を使用することにより、実現される。実際には、例えば、ＴＥＮＭＡＴ ＧｍｂＨ社の「ファイアフライ（ＦＩＲＥＦＬＹ）」製品群の材料が防火要素に特に適合していることが確認された。したがって、例えば、「ＦＩＲＥＦＬＹ１０２」は、火事で当初の厚さの２５倍に膨張し、信頼できる方式で開口部を閉鎖することができる。
【００１７】
少なくとも２つの防火要素が、隣接するギャップ領域に配置されるか或いはセグメントアーマーの主表面に対向するとしても、少なくとも１つの側方向境界部分に設けられると。火災源が存在する側に関係なく、昇降ドアの他方側のために信頼性高い遮蔽を行うことが可能である。さらに、この場合、前記防火要素は、火災時に連続的に効力を発揮し、本発明の昇降ドアの安定性を向上させるようになる。
【００１８】
ここで、前記側方向境界部分において、前記凸部と前記凹部の側壁との間のギャップが、少なくとも３ミリの幅を有すると特に有利であることが確認された。一方、これは、例えば、ドアのまぐさ領域内にある螺旋部分において、各スラットが損傷することなく、互いに傾斜できるようにする十分な空間を提供し、他方では、ギャップを狭く維持することにより、曲折シールを介した高温ガスなどの移動をできるだけ信頼性高く抑制することを可能にする。特に、高速動作の場合には、このギャップが少なくとも５ミリの幅を有すると有利であることが確認され、特に少なくとも７ミリの幅を有すると有利であることが確認された。熱の影響下で膨張し、さらに７ミリまたはそれ以上のギャップまで埋め込められる防火要素が、２つの関連するスラット間の領域に存在すると、このギャップの幅はさほど重要なものではない。
【００１９】
他の実施例において、本発明の昇降ドアは、好ましくは難燃性のエラストマー製の床側終結部材を備えることができる。この場合、熱の影響下で膨張し、所定の状況で最下端スラットと床との間のギャップを閉鎖させる材料からなる少なくとも１つの防火要素が前記終結部材に配置される。このように、本発明の昇降ドアでは、信頼できる床側の閉鎖がより一層達成され、高温ガスの移動または火炎伝播が回避される。仮に、難燃性のエラストマーが終結部材として使用されると、この効果はさらに高くなる。しかし、前記終結部材が熱の影響に耐えられなくなった後でも、防火要素の発泡または膨張により、この領域で信頼できる閉鎖を行うことが可能である。
【００２０】
前記終結部材が中空プロファイルの形態を有し、少なくとも１つの防火要素が前記終結部材のキャビティに設けられることも可能である。一般的な動作過程において、前記防火要素は、終結部材内で保護される方式で配置され、前記終結部材は、この終結部材が熱の影響によって破壊されて、本発明の昇降ドアで床側のギャップが生成されるリスクがあった際にはじめて効力を発揮する。これにより、本発明の昇降ドアの防火機能はさらに向上する。
【００２１】
本発明は、以下で図によってより詳細に説明される。
【図面の簡単な説明】
【００２２】
【図１】本発明の高速作動昇降ドアの正面図である。
【図２】本発明の高速作動昇降ドアの側断面図である。
【図３】本発明の高速作動昇降ドアの平断面図である。
【図４】本発明の高速作動昇降ドアのセグメントアーマーを詳細に示す断面図である。
【図５】図４において２つの隣接するスラットの互いに対向する側方向境界部分を含む部分の詳細図である。
【図６】スラットの側面図である。
【図７】側枠の断面図である。
【図８】ドアのまぐさにある巻取ケースの断面図である。
【図９】図８においてセグメントアーマーが巻取ケースに進入する領域を含む部分の詳細図である。
【図１０】セグメントアーマーの床側終結部材の詳細図である。
【発明を実施するための形態】
【００２３】
図１〜図３は、高速産業用ドアとして実施される昇降ドア１の三方視図を示す。昇降ドア１は、一方側の側枠３で保持かつ案内されるセグメントアーマー２の形態を有するドアリーフと、ドアのまぐさ領域内に配置され、ドアリーフが開放された状態で前記セグメントアーマー２を収容する巻取ケース４とを備える。
【００２４】
さらに、図示するように、２つの側枠３内には、ガイドトラック３１が配置されるが、前記ガイドトラック３１は、ドア開口部領域で垂直に延びており、巻取ケースの内部で螺旋状に延びている。結果的に、昇降ドア１が開放状態にあるとき、セグメントアーマー２は、巻取ケース４内で接触しないように配置可能である。
【００２５】
さらに、図４に詳細が示されるように、セグメントアーマー２は、各々がガイドトラック３１に隣接するように、セグメントアーマー２において側方向に配置されるヒンジストラップ２１を備える。図４には、前記ヒンジストラップ２１のうち１つのみを明確にした。前記ヒンジストラップ２１は、ヒンジピン２３により関節方式で相互接続され、これにより、互いに一定の角度で配置されるヒンジリンク２２を含む。
【００２６】
さらに、セグメントアーマー２は、ヒンジリンク２２に設けられて固定される複数のスラット２４（図６を参照）を備える。特に、図４、図５及び図７から明らかなように、各スラット２４は、その縦端でガイドローラ２６を支持するローラ軸２５と結合している。これらのガイドローラは、ガイドトラック３１に係合する。したがって、ヒンジストラップ２１は、ガイドトラック３１で間接的に支持かつ案内される。本例において、スラット２４は、例えば、アルミニウム合金で作られる。
【００２７】
昇降ドア１は、その構成に限り、例えば、ＷＯ９１／１８１７８号に記載された従来の高速産業用ドアに相当する。
【００２８】
図５は、隣接するスラット２４の互いに対向する側方向境界部分の構成をより詳細に示す。このように、下部スラット２４の上部側方向境界部分２４１は、上部スラット２４の下部側方向境界部分２４２にぴったりと係合する。このため、上部側方向境界部分２４１に凸字状の凸部２４３が形成されている。凸部２４３の上端部には、クロロプレン材料製のシール部材２７が配置され、凸部２４３の実装溝内に固定されている。前記クロロプレン材料は、難燃性を有するため、優れた防火特性で特徴づけられる。下部側方向境界部分２４２は、２つの側壁２４５で横方向に制限される凹字状の凹部２４４を含む。図６は、このようなスラット２４の横断面形状を示す。
【００２９】
図５の表示によれば、凸部２４３と側壁２４５は、各々の関連する側方向境界部分が重なり、このため、この位置で、曲折シール方式により、空気、特に、加熱された空気のようなガスの移動を妨害する曲折を形成する。シール部材２７の提供により、昇降ドア１の閉鎖状態でガスの移動が完全に抑制される。このため、前記シール部材２７は、セグメントアーマー２のまたはドア開口部の全幅をそれぞれ実質的に超えて延びる。
【００３０】
凸部２４３と凹部２４４の各側壁２４５との間には、このような曲折シールの密閉特性を本質的に決定するギャップ２４６が備えられる。凸部２４３のいずれか一方の側で前記ギャップ２４６の幅が狭いほど、例えば、風負荷による空気の流れを許容する傾向が減少する。しかし、一方では、各スラット２４が巻取ケース内で損傷することなく互いに傾斜し、これにより、螺旋状コイルが形成されるようにするためには、一定の最小の間隔が有利である。実際に、傾斜するスラット２４が、損傷を高速動作中にでも確実に防止するためには、凸部２４３のいずれか一方の側で、例えば、７ｍｍの幅を有するギャップが特に適切であることが確認された。ここで、セグメントアーマー２が巻取ケース４内にあるコイルに、例えば、３ｍ／ｓｅｃのドアリーフ速度で進入する間に、相当な動的な力が発生することが想定された。これは、ドアの幅を横切って見たとき、特に、セグメントアーマー２の中心領域に弾性変形現象の出現をもたらすが、この変形は、隣接するスラット２４の重なり領域における十分なギャップ幅により、何らのリスクなく調和される。
【００３１】
それにもかかわらず、火災発生時に、隣接する２つのスラット２４間のこの境界領域で信頼性高い閉鎖を行うために、本実施例においては、凸部２４３の両側面に防火要素２８ａが配置される。これらの防火要素は、熱の影響下で現存するギャップを埋めるために膨張する材料で作られ、したがって、火災を抑制する。好適な材料は、例えば、火災発生時に当初の厚さの２５倍に膨張する「ＦＩＲＥＦＬＹ１０２」である。図５の表示に関して、防火要素２８ａは、実質的に長方形断面を有し、昇降ドア１のドア全幅を実質的に超えて延び、ストリップ形状の構造を有するようになる。
【００３２】
したがって、火災発生時にシール部材２７が作動しない場合であっても、２つのスラット２４間のギャップの確実な閉鎖が可能であり、火炎の移動が信頼できる方式で防止される。
【００３３】
図７は、側枠３の領域を詳細に示す平面図である。この図には、セグメントアーマー２がどのようにガイドトラック３１に係合し、ローラ軸２５及びガイドローラ２６の補助下で保持されているかを示している。
【００３４】
図７に示す通り、セグメントアーマー２が側枠３に進入する領域において、セグメントアーマー２の両側に防火要素２８ｂがさらに配置されている。前記防火要素２８ｂは、火災時に熱の影響下で膨張し、側枠３とセグメントアーマー２との間のギャップを充填する材料で作られている。これにより、火災時に側枠３の領域での高温ガスの移動までを確実に抑制することが可能である。防火要素２８ｂとして好適な材料は、再び例えば「ＦＩＲＥＦＬＹ１０２」である。他の側枠３は、図７に示す側枠と同様に構成され、同じく防火要素を備える。
【００３５】
図８は、セグメントアーマー２が巻取ケース４に進入する領域を示す。図９に、より詳細に示すように、防火要素２８ａ、２８ｂと同様に構成され、火災時にドアのまぐさ領域を密閉させる機能を果たす防火要素２８ｃが配置される。したがって、ここでも、高温ガス、火炎などに対する安全な遮断が可能である。
【００３６】
図１０には、セグメントアーマー２の下部が示されている。同図から明らかなように、最下端スラット２４ａの次には終結部材２９が続く。このため、最下端スラット２４ａの下部側方向境界部分は、他のスラット２４とは異なる構成を有する。前記最下端スラット２４ａは、終結部材２９の締結部のための受容溝を含む。本実施例において、終結部材２９は、順番に使用されるクロロプレンを含めて難燃性のエラストマーで形成される。
【００３７】
さらに、図１０から明らかなように、前記終結部材２９は、付加的な外側シールリップを備える中空プロファイルの形状を有する。中空プロファイルに形成される内部自由空間には、防火要素２８ｄがさらに設けられる。前記防火要素２８ｄは、熱の影響下で膨張し、自由空間を充填して火炎を防止する「ＦＩＲＥＦＬＹ１０２」のような材料で製作される。これは、火災時に終結部材２９が熱の影響により破壊されたとしても、昇降ドアの床領域で確実な遮断を可能にする。したがって、最下端スラット２４ａと床５との間へのギャップの形成を防止することができる。
【００３８】
したがって、高速作動昇降ドア１は、高速動作特性を示すだけでなく、防火ドアとしても活用される。ビル内で火災が発生すると、高速作動昇降ドア１を下ろすか閉鎖することにより、火の拡大が確実に阻止される。この方式により、ビルの個別セクションが他のセクションから遮断される。
【００３９】
高速作動昇降ドア１の一方の側で強力な熱が発生することにより、セグメントアーマー２の各スラット２４が曲げられるとしても、この防禦効果は維持される。このような曲げは、セグメントアーマー２の両側での異なる温度で引き起こされ、したがって、異なる伸びの部材をもたらす。しかし、スラット２４が正確に係合するため、２つの隣接するスラット間に引き起こされるずれのリスクはない。したがって、セグメントアーマー２内での結合状態は永久的に維持される。
【００４０】
前記実施例のほか、本発明はさらなる設計変更を許容する。
【００４１】
例えば、シール部材２７は、２つのスラット２４の隣接領域において異なる位置に配置されてもよい。例えば、シール部材２７が凹部２４４内に配され、このため、上部スラット２４に設置される。さらに、前記シール部材２７は、凸部の側面に位置することもできる。このような類型の様々なシール部材を活用することも可能である。
【００４２】
シール部材２７のための材料としては、特別な防火特性を有していない従来のラバーなどであってもよい。
【００４３】
各々の防火要素２８ａ〜２８ｄは、それらを使用している間に所望の防火効果を達成する限り、各々の領域でいずれかの他の位置に配置されてもよい。したがって、例えば、前記防火要素２８ａは、凹部２４４の側壁２４５上に配置されてもよい。さらに、終結部材２９の領域における防火要素２８ｄの数は、図示する数、４個と異なってもよい。さらに、これらの防火要素は、終結部材２９の外部に配置されてもよい。特定の応用分野では、これらの防火要素２８ａ〜２８ｄを部分的または全体的に省略することも可能である。
【００４４】
他の変形例においては、ヒンジピンがローラ軸の機能をさらに受け持つことができ、このため、後者が省略される。この場合、ヒンジストラップは、ガイドトラック３１内で直接案内される。
【００４５】
２つのスラット２４の隣接する領域にある曲折は、上述した凸部／凹部型の配置ではない、他の方式で形成されてもよい。この領域において、セグメントアーマーを介した直接的な移動経路が遮断される限り、他の幾何学的構成が直接適用可能である。
【図１】
0005722216.tif 000002
【図２】
0005722216.tif 000003
【図３】
0005722216.tif 000004
【図４】
0005722216.tif 000005
【図５】
0005722216.tif 000006
【図６】
0005722216.tif 000007
【図７】
0005722216.tif 000008
【図８】
0005722216.tif 000009
【図９】
0005722216.tif 000010
【図１０】
0005722216.tif 000011